(57)【要約】      （修正有）【課題】日除け、雨よけ、運搬シート、グランドシート等個々に携行したものを１枚のシートで兼用できる様に工夫した多目的シートを提供する。【解決手段】１枚の防水シートの両端を折り返してトンネルを作り、このトンネルにコードを通し隣接するコードを調節可能に係留した。被せる物の形状に合わせてコードの長さを調節して適応させる。【選択図】図１
0003126146.tif 000002
【実用新案登録請求の範囲】
【請求項１】
防水シートの両端を折り返してトンネル状に縫い、このトンネル内にコードを通して、トンネルから出た両端４本のコードを隣接するコード同志２箇所を調節可能な方法で係留する。
トンネル辺以外の対応する他の２辺にはマジックテープ等の部品を用いてシートにコードを保持するアウトドアー用多目的シート。
【考案の詳細な説明】
【技術分野】
【０００１】本考案は登山、ハイキング、キャンプ等に行く際携行するものでシートにロープ、コードロック、マジックテープを備えたシートを携行することによってザックカバー、日除け、雨具、運搬用道具として使用できるアウトドアー用多目的シートに関する。
【背景技術】
【０００２】簡単なハイキングからサイクリング、設営登山まで必ず携行する装備にザックカバー、レインコート、グランドシート、雨よけ、日よけ等ののシート類がある。
各々の目的に沿ってそれらの商品は市販されている。【０００３】雨に備えたこれら必要品を携行した場合、ザック内の容積は凡そ１リットル程度になる。
しかし雨に遭遇しなかった場合、ザックカバー等は全く無意味な携行となる。
【考案の開示】
【考案が解決しようとする課題】
【０００４】本考案は１枚のシートに最低限の部品を加えることで、使い勝手を広げアウトドアーシーンにおける各々の目的に対応できるよう工夫した多目的なシートを提供することを目的とする。
【課題を解決するための手段】
【０００５】上記目的を達成するために、１枚の防水シート例えば一般的なザックカバーのＭサイズは縦約７０ｃｍ横約５０ｃｍ程であるが、このサイズを目安にして、シートの両端を折り返してトンネル状に筒縫いし左右に１本ずつコードを通しトンネルから出たコードの末端を左右各々の隣接するコードどうしを結かコードロックパーツで係留する。
シートのロープの通たトンネル辺以外の辺に雄雌のマジックテープが取り付けてありこのマジックテープでループが形成されるようになっている。
【考案の効果】
【０００６】シートのトンネルから出ているコードを引くことによりシートの形状はおわん形状となり、そのままザックに被せてザックカバーの代用になる。
ザックに被せてコードを強く引くことで風に備える。
このい際、トンネル辺の跳ね上がりを防ぐ目的、又は引いたコードの余りを、トンネル辺と直角な辺上にあるマジックテープのフックでコードを包む。【０００７】コードを緩めてシートを広げれば、湿地帯でも使えるグランドシートとして湿気、水を防げる。【０００８】コードの係留部分を左右の手で握ってシート部分で頭、体を覆えば雨よけ、日除けとなる。【０００９】コードの係留部分を自転車のハンドルや突起物に引っかけてツーリング先での自転車のカバーとして用いる。【００１０】コードの係留部分を握ってつり下げればシートに物を入れて運ぶことができる。
この機能の道具はキャンプ用品として単品で市販されている。
また担架形状にした場合も有効である。
コードの引き具合に応じてシートは膨らんだバック形状に近くなる。【００１１】風ろ敷は日本古来の文化である。
単純化故にその使用間口は広い。
本考案の源流は風ろ敷から発しアウトドアーシーンに有効な最低限のパーツを備えている。
【考案を実施するための最良の形態】
【００１２】アウトドアーに有効な任意のサイズの防水シートの両端にトンネルを作りトンネル内にコードを通しトンネルから出たコードの隣接するコードどうしを結ぶ、又はコードロックを用いて係留する。
シート両端のトンネルの有る辺以外の直角に位置する辺にループが作れるようにマジックテープを取り付けてコードの係留部分を保持する。
【図面の簡単な説明】
【００１３】
【図１】本考案の正面図である。
【図２】同じく背面図である。
【図３】ザックカバーとしての使用参考斜視図である。
【図４】運搬時の形状参考斜視図である。
【図５】雨よけ時の自転車取り付け斜視図である。
【符号の説明】
【００１４】１  防水シート
２  コード
３  コードロック
４  コード用トンネル
５  マジックテープ雄
６  マジックテープ雌
【図１】
0003126146.tif 000003
【図２】
0003126146.tif 000004
【図３】
0003126146.tif 000005
【図４】
0003126146.tif 000006
【図５】
0003126146.tif 000007
【手続補正書】
【提出日】平成18年6月29日(2006.6.29)
【手続補正１】
【補正対象書類名】実用新案登録請求の範囲
【補正対象項目名】全文
【補正方法】変更
【補正の内容】
【実用新案登録請求の範囲】
【請求項１】
アウトドアー用多目的シートにおいて
（１）シートは長方形であり、
（２）シートは長手方向の両端に生地で設けたトンネルを有し、
（３）シートはトンネル内に移動可能なロープがそれぞれ通してあり、
（４）シートはトンネルから出たロープは隣接する同し接合され、
（５）シートはトンネルを有する辺と直角に接する２辺には雄雌でループができる面ファスナーを備えている、
以上の構成から成るアウトドアー用多目的シートである。
【手続補正２】
【補正対象書類名】明細書
【補正対象項目名】０００１
【補正方法】変更
【補正の内容】
【０００１】本考案は登山、ハイキング、キャンプ等に行く際携行するものでシートにロープ、コードロック、面ファスナーを取り付けたシートを携行することによってザックカバー、日除け、雨具、運搬用道具として使用できるアウトドアー用多目的シートに関する。
【手続補正３】
【補正対象書類名】明細書
【補正対象項目名】０００５
【補正方法】変更
【補正の内容】
【０００５】上記目的を達成するために１枚の防水シート、例えば一般的なザックカバーのＭサイズは縦約７０ｃｍ横約５０ｃｍ程であるが、このサイズを目安にして、シートの両端を折り返してトンネル状に筒縫いし左右に１本ずつコードを通しトンネルから出たコードの末端を左右各々の隣接するコード同士を結ぶ等で係留する。
シートのロープを通したトンネル辺以外の短辺は面ファスナーを備えシートとコードを係留する。
【手続補正４】
【補正対象書類名】明細書
【補正対象項目名】０００６
【補正方法】変更
【補正の内容】
【０００６】シートのトンネルから出るコードを引くことによりシートの形状はおわん状となり、そのままザックに被せてザックカバーとなる。
この際トンネル辺の跳ね上がりを防ぐ目的、又は引いたコードの余りをトンネル辺と直角な辺上にある面ファスナーのループでコードを包みザックに被せたカバーのすき間を無くす。
【手続補正５】
【補正対象書類名】明細書
【補正対象項目名】００１２
【補正方法】変更
【補正の内容】
【００１２】アウトドアーに有効な任意のサイズの防水シートの両端にトンネルを設けトンネル内にコードを通してトンネルから出たコードの隣接するコードどうしを結ぶ、又はコードロックを用いて係留する。
シートの両端のトンネルのある辺以外の直角に位置する辺にループが作れるように面ファスナーを取り付けて生地とコードのすき間をふさぐ。
【手続補正６】
【補正対象書類名】明細書
【補正対象項目名】００１４
【補正方法】変更
【補正の内容】
【００１４】１  防水シート
２  コード
３  コードロック
４  コード用トンネル
５  面ファスナー雄
６  面ファスナー雌